(57)【特許請求の範囲】
【請求項１】
撮像時の画像入力特性に応じて処理された動画データを入力する入力手段と、
前記動画データの色空間を前記画像入力特性に対応する色空間から他の異なる色空間に変換するための色空間特性データを、前記画像入力特性に基づいて選択する選択手段と、
前記選択手段によって選択された色空間特性データを前記動画データとともに媒体に記録する記録手段とを有することを特徴とする画像記録装置。
【請求項２】
前記記録手段は前記色空間特性データを前記動画データの所定期間毎に付加して記録することを特徴とする請求項１記載の画像記録装置。
【請求項３】
前記所定期間はＮフレーム（ＮはＮ≧１の整数）期間であることを特徴とする請求項２記載の画像記録装置。
【請求項４】
前記動画データと前記色空間特性データはＩＥＥＥ１３９４規格に従って伝送されることを特徴とする請求項１記載の画像記録装置。
【請求項５】
前記動画データはＩＥＥＥ１３９４規格のアイソクロナス転送に従って転送されることを特徴とする請求項４記載の画像記録装置。
【請求項６】
前記色空間特性データはＩＥＥＥ１３９４規格のアシンクロナス転送に従って転送されることを特徴とする請求項４記載の画像記録装置。
【請求項７】
前記記録手段は前記色空間特性データを前記動画データのサブコードエリアに付加して前記媒体に記録することを特徴とする請求項１記載の画像記録装置。
【請求項８】
複数の画像入力特性からなるグループに対して１つの色空間特性データを割り当てることにより、Ｍ個（ＭはＭ≧１の整数）の画像入力特性に対して、Ｎ個（ＮはＭ≧Ｎ≧１の整数）の色空間特性データを備えることを特徴とする請求項１記載の画像記録装置。
【請求項９】
前記動画データは圧縮符号化された動画データであることを特徴とする請求項１記載の画像記録装置。
【請求項１０】
前記動画データは直交変換を用いて圧縮符号化された動画データであることを特徴とする請求項９記載の画像記録装置。
【請求項１１】
撮像時の画像入力特性に応じて処理された動画データを入力する入力工程と、
前記動画データの色空間を前記画像入力特性に対応する色空間から他の異なる色空間に変換するための色空間特性データを、前記画像入力特性に基づいて選択する選択工程と、
前記選択工程によって選択された色空間特性データを前記動画データとともに媒体に記録する記録工程とからなることを特徴とする画像記録方法。
【請求項１２】
前記記録工程は、前記色空間特性データを前記動画データの所定期間毎に付加して記録することを特徴とする請求項１１記載の画像記録方法。
【請求項１３】
前記所定期間はＮフレーム（ＮはＮ≧１の整数）期間であることを特徴とする請求項１２記載の画像記録方法。
【請求項１４】
前記動画データと前記色空間特性データはＩＥＥＥ１３９４規格に従って伝送されることを特徴とする請求項１１記載の画像記録方法。
【請求項１５】
前記動画データはＩＥＥＥ１３９４規格のアイソクロナス転送に従って転送されることを特徴とする請求項１４記載の画像記録方法。
【請求項１６】
前記色空間特性データはＩＥＥＥ１３９４規格のアシンクロナス転送に従って転送されることを特徴とする請求項１４記載の画像記録方法。
【請求項１７】
前記記録工程は前記色空間特性データを前記動画データのサブコードエリアに付加して前記媒体に記録することを特徴とする請求項１１記載の画像記録方法。
【請求項１８】
複数の画像入力特性からなるグループに対して１つの色空間特性データを割り当てることにより、Ｍ個（ＭはＭ≧１の整数）の画像入力特性に対して、Ｎ個（ＮはＭ≧Ｎ≧１の整数）の色空間特性データを備えることを特徴とする請求項１１記載の画像記録方法。
【請求項１９】
前記動画データは圧縮符号化された動画データであることを特徴とする請求項１１記載の画像記録方法。
【請求項２０】
前記動画データは直交変換を用いて圧縮符号化された動画データであることを特徴とする請求項１９記載の画像記録方法。
【請求項２１】
請求項１１から２０のいずれかに記載の画像記録方法をコンピュータに実行させるプログラムを読み出し可能に格納したコンピュータ可読の記録媒体。
【発明の詳細な説明】
【０００１】
【発明の属する技術分野】
本発明は、動画データと、当該動画データの色空間を他の異なる色空間に変換するための色空間特性データとを媒体に記録する画像記録装置、画像記録方法及びコンピュータ可読の記録媒体に関する。
【０００２】
【従来の技術】
近年ディジタル符号化技術の発展により、画像データを圧縮符号化しディジタル記録する方式が確立され、ビデオカメラなどで撮影した映像を高品質のまま記録することが可能になってきた。一方、ホストコンピュータを中心としたマルチメディアシステムにおいては、画像データの入力装置と出力装置の間で色見を合わせるためのカラーマッチングシステム（以後ＣＭＳと表記）の研究が盛んになってきている。代表的なＣＭＳの枠組の一つであるＣｏｌｏｒ  Ｓｙｎｃでは入力装置の固有色空間（Ｄｅｖｉｃｅ  Ｄｅｐｅｎｄｅｎｔ  Ｃｏｌｏｒ  Ｓｐａｃｅ）から、共通の色空間（Ｉｎｄｅｐｅｎｄｅｎｔ  Ｃｏｌｏｒ  Ｓｐａｃｅ）への変換を行うことにより、共通化されたＣＭＳを実現している。この変換処理のために固有色空間の変換特性を表したデータ（Ｉｎｔｅｒ  Ｃｏｌｏｒ  Ｐｒｏｆｉｌｅ）が、ホストコンピュータ内に各装置ごとに用意され、変換の際に自動もしくは手動で選ばれた変換特性によって色空間が変換される。
【０００３】
図１３は従来の画像記録技術とＣＭＳの関係を示す図である。端子１３０１より入力されたディジタル画像データは、誤り訂正符号化回路１３０２において記録媒体で発生するデータ誤りを訂正するためのパリティデータを付加され、記録変調回路１３０３において記録媒体上に記録するための変調等の処理を受け、記録ヘッド１３０４によって媒体に記録される。
【０００４】
一方ＣＭＳのための色空間特性データはあらかじめホストコンピュータのｄａｔａ  ｆｉｌｅ  １３０５として固定的に用意されるため、記録されたディジタル画像データの特性を動的に反映したものではない。
【０００５】
【発明が解決しようとする課題】
従来のシステムでは、フラットベッドスキャナのようにホストコンピュータに直接接続され、入力装置自体の特性も変化しない状況ではホストコンピュータに備えられた変換特性データを使うことによってＣＭＳの効果が期待できる。
【０００６】
しかしながら圧縮符号化されたディジタル画像データの様に実際の取り込み時の特性が特定できない様なデバイス、特にビデオカメラ画像のように撮像時の調整状態に大きく左右される信号を、ディジタル符号化し記録されたデータを入力としてＣＭＳを行いたい場合、ホストコンピュータ内に用意された変換特性データでは十分な効果が期待できないばかりか、適合しない特性により誤った変換となることが問題であった。
【０００７】
本発明はかかる問題に鑑みてなされたものであり、良好に色空間変換処理を行うことができるようにすることを目的とする。
【０００８】
【課題を解決するための手段】
本発明に係る画像記録装置は、例えば、撮像時の画像入力特性に応じて処理された動画データを入力する入力手段と、前記動画データの色空間を前記画像入力特性に対応する色空間から他の異なる色空間に変換するための色空間特性データを、前記画像入力特性に基づいて選択する選択手段と、前記選択手段によって選択された色空間特性データを前記動画データとともに媒体に記録する記録手段とを有することを特徴とする。
本発明に係る画像記録方法は、例えば、撮像時の画像入力特性に応じて処理された動画データを入力する入力工程と、前記動画データの色空間を前記画像入力特性に対応する色空間から他の異なる色空間に変換するための色空間特性データを、前記画像入力特性に基づいて選択する選択工程と、前記選択工程によって選択された色空間特性データを前記動画データとともに媒体に記録する記録工程とからなることを特徴とする。
本発明に係るコンピュータ可読の記録媒体は、例えば、上記画像記録方法をコンピュータに実行させるプログラムを読み出し可能に格納したものである。
【００１２】
【発明の実施の形態】
以下、本発明の実施例について、図面を参照して説明する。
【００１３】
尚、本発明の実施例において処理されるディジタル画像データは、ＤＣＴ等を用いる圧縮符号化技術によって圧縮符号化されたものであってもかまわない。
【００１４】
図１は本発明の一実施例のディジタル画像記録装置の構成を示すブロック図である。端子１０１にはディジタル画像データが入力され、端子１０２には前記ディジタル画像データの色空間特性を表す色空間特性データが入力される。色空間特性データの例としては、Ｉｎｔｅｒ  Ｃｏｌｏｒ  Ｐｒｏｆｉｌｅと呼ばれる規格にあるような、異なった色空間への変換特性を表すＰｒｏｆｉｌｅデータ等が考えられる。スイッチ回路１０３は端子１０２からの色空間特性データを、端子１０４から供給される色空間特性付加周期信号によって与えられる所定の周期でデータ多重回路１０５に供給する。図２は色空間特性付加周期信号の例を示す図である。この例では色空間特性データは動画像のフレーム周期毎に付加される。
【００１５】
しかしながらかかる色空間特性付加周期信号は図２に示すようにフレーム毎に限らず可変フレーム伝送の場合であれば所定時間毎でもよいし、数フレーム毎でもよい。又、撮影条件が変わる度でもよい。このように、色空間特性データを所定周期で記録することにより、リアルタイムで変化する色空間特性に追従することができ、また動画データの一部を取り出した場合でも、正しい色空間特性を得ることが可能である。
【００１６】
データ多重化回路１０５では前記ディジタル画像データのフォーマット内に色空間特性データを多重化する。データ多重化の例を図３に示す。この例では画像データ内のサブコードエリアに色空間特性データＡが多重化されている。多重化されたデータは、誤り訂正符号化回路１０６において、記録媒体の欠陥等で生じる再生データ誤りを訂正するためのパリティデータを付加され、記録変調回路１０５において媒体記録のための変調等の処理を受け、記録ヘッド１０６によって媒体に記録される。
【００１７】
図４は画像データの入力特性によって色空間特性データを選択し、記録する第２の実施例の構成例である。端子４０１にはディジタル画像データが入力され、端子４０２には前記ディジタル画像データの入力特性データが入力される。画像入力特性データの例としてはビデオカメラのホワイトバランス、ＡＥ、ガンマといった入力装置の調整情報、測色装置等の外部測定に基づく測定情報、撮影者がマニュアルで指定した撮影情報等がある。
【００１８】
画像入力特性データは色空間特性データ変換回路４０３において、前述のような色空間特性データに変換される。スイッチ回路４０４は４０３からの色空間特性データを、端子４０５から供給される、例えば図２で示されるような色空間特性付加周期信号によって与えられる所定の周期で、データ多重回路４０６に供給する。
【００１９】
データ多重化回路４０６では前記ディジタル画像データのフォーマット内に、例えば図３のようにサブコードエリアを用いて色空間特性データを多重化する。多重化されたデータは、誤り訂正符号化回路４０７において、記録媒体の欠陥等で生じる再生データ誤りを訂正するためのパリティデータを付加され、記録変調回路４０８において媒体記録のための変調等の処理を受け、記録ヘッド４０９によって媒体に記録される。
【００２０】
４０３における画像入力特性データから色空間特性データへの変換は、入力装置の特性を表す関数を用いた写像によっても可能であるが、回路構成の簡単化のためにあらかじめ用意されたテーブルを用いる色空間特性データ変換回路の構成例を図５に示す。端子５０１より入力された画像入力特性データは、色空間特性ＩＮＤＥＸ変換回路５０２において色空間特性データを選択するためのＩＮＤＥＸに変換される。このＩＮＤＥＸは、あらかじめ画像入力特性データに対して測定された色空間特性データを対応させて番号付けを行ったものである。この実施例ではＩＮＤＥＸに関しても入力特性に対するＩＮＤＥＸ  Ｔａｂｌｅ  ５０３を用いて変換を行っているが、単純な閾値処理で近似できるような入力システムにおいては色空間特性ＩＮＤＥＸ変換回路５０２を閾値回路を使って構成することもできる。５０２から供給されるＩＮＤＥＸに従って、色空間特性データ選択回路５０４ではＰｒｏｆｉｌｅ  Ｔａｂｌｅ５０５から、あらかじめ測定された色空間特性データを選択し、端子５０６より出力する。
【００２１】
処理する入力特性の数（レンジ）Ｍと変換後の色空間特性データの個数Ｎは一致する必要はなく、あるレンジの入力を同一の色空間特性データに変換することによりＰｒｏｆｉｌｅ  Ｔａｂｌｅのデータ量を削減することも可能である。図６は画像入力特性と該入力特性に対応して設定されるＰｒｏｆｉｌｅ  ＃を示す図である。図６において、画像入力特性の晴天に相当するレンジの画像入力特性は全てはＰｒｏｆｉｌｅ  ＃１に、同様に曇天に相当する画像入力特性は全てＰｒｏｆｉｌｅ  ＃２に、屋内に相当する画像入力特性は全てＰｒｏｆｉｌｅ  ＃３に変換することにより、撮影条件の大きく異なった場合の特性を、３種の色空間特性データによって補正することが可能である。これは図５の５０３のＩＮＤＥＸ  Ｔａｂｌｅにおいて、図７に示すように、あるレンジの入力特性に対して同一のＩＮＤＥＸを出力し、５０５のＰｒｏｆｉｌｅ  Ｔａｂｌｅにはこれに対応した色空間特性データを持つことによって実現できる。
【００２２】
しかしながら本発明はかかるレンジ−色空間特性データの変換に限るものではない。
【００２３】
次に色空間特性データそのもののかわりに、色空間特性データを選択するための色空間特性ＩＮＤＥＸを画像データに多重化して記録する第３の実施例を図８に示す。一般に、色空間特性データの種類が限定されている場合、特性データそのものを記録するより、それを選択するためのＩＮＤＥＸ情報を記録した方が、記録するデータ量は少なくて済む。
【００２４】
端子８０１にはディジタル画像データが入力され、端子８０２には前記ディジタル画像データの入力特性データが入力される。
【００２５】
画像入力特性データは色空間特性ＩＮＤＥＸ変換回路８０３において、前述のような色空間特性ＩＮＤＥＸに変換される。スイッチ回路８０４は８０３からの色空間特性ＩＮＤＥＸを、端子８０５から供給される、例えば図２で示されるような色空間特性付加周期信号によって与えられる所定の周期で、データ多重回路８０６に供給する。
【００２６】
データ多重化回路８０６では前記ディジタル画像データのフォーマット内に、例えば図１２のようにデータエリアとは別のサブコードエリアを用いて色空間特性ＩＮＤＥＸを多重化する。多重化されたデータは、誤り訂正符号化回路８０７において、記録媒体の欠陥等で生じる再生データ誤りを訂正するためのパリティデータを付加され、記録変調回路８０８において媒体記録のための変調等の処理を受け、記録ヘッド８０９によって媒体に記録される。
【００２７】
８０３における画像入力特性データから色空間特性ＩＮＤＥＸへの変換は、入力装置の特性を表す関数を用いた写像によっても可能であるが、回路構成の簡単化のためにあらかじめ用意されたテーブルを用いる色空間特性ＩＮＤＥＸ変換回路の構成例を図９に示す。
【００２８】
端子９０１より入力された画像入力特性データは、色空間特性ＩＮＤＥＸ変換回路９０２において色空間特性データを選択するためのＩＮＤＥＸに変換され、端子９０３より出力される。このＩＮＤＥＸは、あらかじめ画像入力特性データに対して測定された色空間特性データを対応させて番号付けを行ったものである。この実施例では入力特性に対するＩＮＤＥＸ  Ｔａｂｌｅ  ９０４を用いて変換を行っている。本発明はテーブルを用いずに入力特性を示すパラメータと予め決められた閾値との比較処理によってＩＮＤＥＸ  Ｔａｂｌｅに相当する処理を近似できるような入力システムにおいては色空間特性ＩＮＤＥＸ変換回路９０２を閾値回路を使って構成することもできる。
【００２９】
図１０に第３実施例の再生回路の構成例を示す。再生ヘッド１００１より再生される記録データは、記録復号化回路１００２において復号され、誤り訂正回路１１０３においてデータ誤りの訂正処理が行われる。データ分離回路１００４では、たとえば図１２の例で示されるように画像データ内のサブコードエリアを用いて伝送された色空間特性ＩＮＤＥＸを分離し、画像データ処理回路１１００へ画像データを、色空間特性データ選択回路１００６に色空間特性ＩＮＤＥＸを供給する。色空間特性データ選択回路１００６では図１１で示されるように、Ｐｒｏｆｉｌｅ  Ｔａｂｌｅ  １１０３から、あらかじめ測定された色空間特性データを検索し、端子１００７より出力する。
【００３０】
次にかかる色空間特性データを用いて画像処理回路１１００を用いて色空間変換処理が行われる。かかる画像処理回路１１００としてはマトリックス演算を用いたカラーマネジメント処理が行われる。尚かかる色空間変換処理はテーブルを用いた処理でもよいし、他の演算を用いた処理でもよい。
【００３１】
以上述べてきたように、本実施例によれば、ディジタル画像データを記録する際、該ディジタル画像データを他の色空間に変換するための色空間変換特性をディジタル画像データに付加して記録することにより、再生時に、記録された色空間変換特性を用いて最適な色空間変換が行えるディジタル画像記録装置が実現できる。また、色空間特性データを動画像データに対して所定周期で記録することにより、リアルタイムで変化する色空間特性に追従することができ、また動画像データの一部を取り出した場合でも、正しい色空間特性を得ることが可能である。
【００３２】
次に本実施例のデータ多重化１０５において実施される多重の一例として伝送路をＩＥＥＥ１３９４と呼ばれる規格に従った多重伝送方法について説明する。かかる方式ではシリアルバス（以下１３９４バス）で実現する。そしてパケット形式は１３９４バスの転送方式であるアイソクロナス転送方式と、アシンクロナス転送方式に基づいてパケットを形成する。データ量が多い画像データのパケット化はアイソクロナス転送方式に基づいて行われる。データ量が少なく時々転送される色空間特性データのパケット化にはアシンクロナス転送方式に基づいてパケット化がされ転送される。
【００３３】
ここでアシンクロナス転送のパケットフォーマット図を図１５に、アイソクロナス転送のパケットフォーマット図を図１６に示す。
【００３４】
アシンクロナスパケットには、データ部及び誤り訂正用のデータＣＲＣの他にはヘッダ部があり、そのヘッダ部には図１５に示したように、目的ノードＩＤ、ソースノードＩＤ、転送データ長さや各種コードなどが書き込まれ、転送が行われる。
【００３５】
アイソクロナスパケットは与えられたチャネル番号で分類されており、各種のパケットにはそれぞれデータ部及び誤り訂正用のデータＣＲＣの他にヘッダ部があり、そのヘッダ部には図１６に示したような、転送データ長やチャネルＮＯ、その他各種コード及び誤り訂正用のヘッダＣＲＣなどが書き込まれ、転送が行われる。
【００３６】
画像データのパケット化回路３０３では図１６のようなパケットを構成し、色空間特性データのパケット化回路３０４では図１５のようなパケットが構成される。
【００３７】
換言すれば画像データは図１６のデータフィールドにパケット化され、色空間特性データは図１５のデータフィールドにパケット化される。かかる転送のタイミングチャートを図１４に示す。
【００３８】
図１５において図中の各フィールドの意味を以下に示す。
【００３９】
目的ノードＩＤ：トランザクション相手のノードＩＤ番号
ｔｌ（トランザクション・ラベル）：自分と相手に関係するトランザクションであることを認識できるようにするための固有値
ｒｔ（リトライ）：ビジー時のリトライ方法に関する情報
ｔＣｏｄｅ：このパケットが規定されるトランザクションコード
ｐｒｉｏｒｉｔｙ：（アプリケーションレイヤが使うための領域）
ソース・ノードＩＤ：送り元のＩＤ番号
ｐａｃｋｅｔ  ｔｙｐｅ  ｓｐｅｃｉｆｉｃ  ｉｎｆｏｍａｔｉｏｎ：ｒＣｏｄｅ（応答が失敗したか成功したかを示す値）等を格納する〈要求パケットでは読み出し要求を出すアドレスを示す〉
データ長さ：データ・フィールドの長さを示す
ｅｘｔｅｎｄｅｄ  ｔＣｏｄｅ：（ｔＣｏｄｅの更に下位を記録する）
ヘッダ／データＣＲＣ：誤り訂正用のＣＲＣ（要求パケトではヘッダＣＲＣのみ）
データ・フィールド：転送されるアイソクロナスデータ（応答パケットのみ）
【００４０】
又図１６において図中の各フィールドの意味を以下に示す。
【００４１】
データ長：ヘッダの後に続くデータ・フィールドのバイト長を規定する
ＴＡＧ：アイソクロナスが運ぶデータのフォーマットを指定
チャネルＮｏ．：パケットデータの転送に与えられた論理的な番号
ｔＣｏｄｅ：このパケットのトランザクション・コード（ここではアイソクロナス転送を示す）
ｓｙ：トランザクションレイヤ専用の同期情報をやり取りする為の値
ヘッダＣＲＣ：ヘッダに対する誤り訂正用のＣＲＣ（リンクレイヤにて生成される）
アイソクロナスデータ：転送されるアイソクロナスデータ
データＣＲＣ：データに対する誤り訂正用のＣＲＣ（リンクレイヤにて生成される）
【００４２】
このときの多重のしかたは、１３９４バスの仕様に則ったものであり、所定のアイソクロナスサイクルに乗じて、図１４のような各パケットの遷移状態となるように処理される。
【００４３】
次に図１７を用いて動画像データに対するＣＭＳ処理を図面を用いて説明する。
【００４４】
本実施形態ではサブコードエリアに色空間特性データを多重化された場合のＣＭＳ処理の構成を図１７に示す。
【００４５】
本実施形態では、色空間特性データは、各ブロック毎にサブコードとして付加されている。
【００４６】
このように動画像データは、伝送路復号化２１０、誤り訂正２０９及びデータ分離２１０で構成されるデータ受信部２１３によって、１ブロック分の画像データと色空間特性データに分離される。
【００４７】
色空間特性データは、プロファイル格納部２１５に入力画像データに対するプロファイルとして格納される。ＣＭＳ処理部２１４では、格納されたプロファイルを入力プロファイルとして用いて、入力装置対応ＣＭＳ処理を行うとともに、予め設定されている出力装置に対応する出力装置対応ＣＭＳ処理を行う。
【００４８】
ここで、対象画像データが動画像であるので、シーンチェンジ等によって画像の途中で色空間特性データが変化する可能性がある。したがって、ブロック毎に分離された色空間特性データが前ブロックに付加されていた色空間特性データと異なるか否かをＣＰＵ１７が判定し、異なった場合に該色空間特性データを入力プロファイルとしてプロファイル格納部２１５に格納するとともに、入力装置ＣＭＳ処理を該入力プロファイルを用いたＣＭＳ処理に変更する。
【００４９】
このように、本実施形態によれば、動画像の途中における色空間変換特性の変化に対応したＣＭＳ処理をリアルタイムに行うことができる。
【００５０】
本実施例においてはブロック毎に付加される色空間特性データの変更に基づき入力装置対応ＣＭＳ処理のみを変更することによりシーンチェンジに対応することができる。
【００５１】
なお、色空間特性データはブロック毎に付加せずに、特性が変化するブロックのみに付加するようにしても構わない。
【００５２】
また、上述の各実施例におけるプロファイルは例えば３×３のマトリクス等の変換関数を示すデータでも構わないし、テーブルデータでも構わない。もちろん、Ｉｎｔｅｒ  Ｃｏｌｏｒ  ｐｒｏｆｉｌｅ等の所望の規格にそった形式でも構わない。
【００５３】
本実施例によれば、常に画像に適した色空間変換特性を提供することができる。
【００５４】
また、本実施例によれば、撮影条件に適したプロファイルを選択することができる。
【００５５】
また、本実施例によれば動画像に対して色がマッチングした再生画像を得ることができる。
【００５６】
又実施例の処理の手順をコンピュータで実施する様にしてもよい。
【００５７】
かかる場合には上述の各処理の手順を示すプログラムコンピュータにより読み取り可能に予め媒体に格納しておき、コンピュータによりかかるプログラムを読み出し、本実施例の手順をコンピュータが実施する場合も本発明に含まれる。かかる場合媒体としてはＲＯＭ、ＲＡＭ、コンピュータにより読み取り可能なディスク等であってもよい。
【００５８】
【発明の効果】
本発明によれば、動画データの色空間を当該動画データの撮像時の画像入力特性に対応する色空間から他の異なる色空間に変換するための色空間特性データを、当該動画データとともに媒体に記録することができるので、当該動画データを再生するに際して良好な色空間変換処理を行うことができる。
【図面の簡単な説明】
【図１】本発明の一実施例のディジタル画像記録装置の実施例を示す図。
【図２】色空間特性データの付加周期信号を示す図。
【図３】画像データ内のサブコードエリアに多重化された色空間特性データを示す図。
【図４】画像データの入力特性によって色空間特性データを選択し、記録する第２実施例を示す図。
【図５】画像入力特性データから色空間特性データへの変換を示す図。
【図６】あるレンジの入力を同一の色空間特性データに変換することを示す図。
【図７】あるレンジの入力特性に対して同一のＩＮＤＥＸを出力するＩＮＤＥＸ  Ｔａｂｌｅの図。
【図８】色空間特性ＩＮＤＥＸを画像データに多重化して記録する第３実施例を示す図。
【図９】画像入力特性データから色空間特性ＩＮＤＥＸへの変換を示す図。
【図１０】多重化された色空間特性ＩＮＤＥＸを再生回路の構成例を示す図。
【図１１】色空間特性ＩＮＤＥＸから色空間特性データへの変換を示す図。
【図１２】画像データ内のサブコードエリアに多重化された色空間特性ＩＮＤＥＸを示す図。
【図１３】従来の画像記録技術とＣＭＳの関係を示す図。
【図１４】データ多重化１０５における多重の一例を示す図。
【図１５】本実施例の多重化のアシンクロナス転送のパケットフォーマット。
【図１６】本実施例の多重化のアイソクロナス転送のパケットフォーマット。
【図１７】本実施例のＣＭＳ処理の構成を示すブロック図。
【図１】
0003907254.tif 000002
【図２】
0003907254.tif 000003
【図３】
0003907254.tif 000004
【図４】
0003907254.tif 000005
【図５】
0003907254.tif 000006
【図６】
0003907254.tif 000007
【図７】
0003907254.tif 000008
【図８】
0003907254.tif 000009
【図９】
0003907254.tif 000010
【図１０】
0003907254.tif 000011
【図１１】
0003907254.tif 000012
【図１２】
0003907254.tif 000013
【図１３】
0003907254.tif 000014
【図１４】
0003907254.tif 000015
【図１５】
0003907254.tif 000016
【図１６】
0003907254.tif 000017
【図１７】
0003907254.tif 000018